(57)【要約】【課題】ＭＢＭＳにおいて、適用変復調を適用できる基地局装置及び通信制御方法を提供すること。【解決手段】ユーザ装置は、マルチキャストデータ及び／又はブロードキャストデータが所要品質を満たさないことを通知するフィードバック情報を送信する。ユーザ装置に対してマルチキャストデータ及び／又はブロードキャストデータを送信する基地局装置は、フィードバック情報の通知数を求め、該通知数に基づいて、適応変復調を行うか否かを判断するフィードバック情報判定手段と、フィードバック情報判定手段における判定結果に従って、マルチキャストデータ及び／又はブロードキャストデータに適用する変調方式及びチャネル符号化方式の組み合わせを変更するＭＣＳ制御手段とを備える。【選択図】図３
2008278339.tif 000002
【特許請求の範囲】
【請求項１】
ユーザ装置に対してマルチキャストデータ及び／又はブロードキャストデータを送信する基地局装置であって：
前記ユーザ装置は、マルチキャストデータ及び／又はブロードキャストデータが所要品質を満たさないことを通知するフィードバック情報を送信し、
前記フィードバック情報の通知数を求め、該通知数に基づいて、適応変復調を行うか否かを判断するフィードバック情報判定手段；
前記フィードバック情報判定手段における判定結果に従って、マルチキャストデータ及び／又はブロードキャストデータに適用する変調方式及びチャネル符号化方式の組み合わせを変更する制御手段；
を備えることを特徴とする基地局装置。
【請求項２】
請求項１に記載の基地局装置において：
前記フィードバック情報判定手段における判定結果に従って、再送制御を行う再送制御手段；
を備え、
前記フィードバック情報判定手段は、前記フィードバック情報の通知数を求め、該通知数に基づいて、再送制御を行うか否かを判断することを特徴とする基地局装置。
【請求項３】
請求項１又は２に記載の基地局装置において：
前記フィードバック情報判定手段は、前記通知数が第１の閾値以上である場合に、多値数を減らす、及び／又はチャネル符号化率を下げる制御を行うように変調方式及びチャネル符号化方式の組み合わせを変更すると判断することを特徴とする基地局装置。
【請求項４】
請求項３に記載の基地局装置において：
前記フィードバック情報判定手段は、前記通知数が第１の閾値未満であり、さらに前記通知数が前記第１の閾値未満の第２の閾値以下である場合に、多値数を増やす、及び／又はチャネル符号化率を上げる制御を行うように変調方式及びチャネル符号化方式の組み合わせを変更すると判断することを特徴とする基地局装置。
【請求項５】
請求項２に記載の基地局装置において：
前記再送制御手段は、所定数のパケットの排他的論理和演算を行ったパケットを送信することを特徴とする基地局装置。
【請求項６】
請求項２に記載の基地局装置において：
前記再送制御手段は、ユーザ装置１００からのフィードバック情報に基づいて、各ユーザにおいて、連続するパケットのうち、受信誤りの生じたパケット数が最大１である点で共通する複数のパケットの排他的論理和演算を行ったパケットを送信することを特徴とする基地局装置。
【請求項７】
請求項１に記載の基地局装置において：
前記ユーザ装置は、前記フィードバック情報を、高レイヤーのシグナリングにより通知することを特徴とする基地局装置。
【請求項８】
請求項１に記載の基地局装置において：
前記ユーザ装置は、前記フィードバック情報として、ＣＱＩ及び／又はスケジューリングリクエストを通知することを特徴とする基地局装置。
【請求項９】
請求項１に記載の基地局装置において：
前記ユーザ装置は、前記フィードバック情報として、否定応答を通知することを特徴とする基地局装置。
【請求項１０】
ユーザ装置に対してマルチキャストデータ及び／又はブロードキャストデータを送信する基地局装置における通信制御方法であって：
前記ユーザ装置は、マルチキャストデータ及び／又はブロードキャストデータが所要品質を満たさないことを通知するフィードバック情報を送信し、
各ユーザ装置から送信されたフィードバック情報を受信するフィードバック情報受信ステップ；
前記フィードバック情報の通知数を求め、該通知数に基づいて、適応変復調を行うか否かを判断するフィードバック情報判定ステップ；
前記フィードバック情報判定手段における判定結果に従って、マルチキャストデータ及び／又はブロードキャストデータに適用する変調方式及びチャネル符号化方式の組み合わせを変更する制御ステップ；
を有することを特徴とする通信制御方法。
【発明の詳細な説明】
【技術分野】
【０００１】
本発明は、無線通信システムに関し、特に基地局装置及び通信制御方法に関する。
【背景技術】
【０００２】
Ｗ−ＣＤＭＡやＨＳＤＰＡ、ＨＳＵＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
ＬＴＥは、上りリンク、下りリンクともに１つないし２つ以上の物理チャネルを複数の移動局で共有して通信を行うシステムである。上記複数の移動局で共有されるチャネルは、一般に共有チャネルと呼ばれ、ＬＴＥにおいては、上りリンクにおいては上り共有物理チャネル（Ｐｈｙｓｉｃａｌ  Ｕｐｌｉｎｋ  Ｓｈａｒｅｄ  Ｃｈａｎｎｅｌ  ：ＰＵＳＣＨ）であり、下りリンクにおいては下り共有物理チャネル（Ｐｈｙｓｉｃａｌ  Ｄｏｗｎｌｉｎｋ  Ｓｈａｒｅｄ  Ｃｈａｎｎｅｌ：  ＰＤＳＣＨ）である。
【０００６】
そして、上述したような共有チャネルを用いた通信システムにおいては、サブフレーム（Ｓｕｂ−ｆｒａｍｅ）（ＬＴＥでは１ｍｓ）毎に、どの移動局に対して上記共有チャネルを割り当てるかをシグナリングする必要があり、上記シグナリングのために用いられる制御チャネルは、ＬＴＥでは、物理下りリンク制御チャネル（Ｐｈｙｓｉｃａｌ  Ｄｏｎｗｌｉｎｋ  Ｃｏｎｔｒｏｌ  Ｃｈａｎｎｅｌ）または、Ｄｏｗｎｌｉｎｋ  Ｌ１／Ｌ２  Ｃｏｎｔｒｏｌ  Ｃｈａｎｎｅｌ（ＤＬ  Ｌ１／Ｌ２  Ｃｏｎｔｒｏｌ  Ｃｈａｎｎｅｌ）と呼ばれる。上記物理下りリンク制御チャネルの情報には、例えば、ダウンリンクスケジューリングインフォメーション（ＤＬ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（ＵＬ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が含まれる（例えば、非特許文献２参照）。
【０００７】
上記ＤＬ  Ｓｃｈｅｄｕｌｉｎｇ  ＩｎｆｏｒｍａｔｉｏｎやＵＬ  Ｓｃｈｅｄｕｌｉｎｇ  Ｇｒａｎｔが、どの移動局に対して上記共有チャネルを割り当てるかをシグナリングするための情報に相当する。上記ＤＬ  Ｓｃｈｅｄｕｌｉｎｇ  Ｉｎｆｏｒｍａｔｉｏｎには、例えば、下りリンクの共有チャネルに関する、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。また、上記ＵＬ  Ｓｃｈｅｄｕｌｉｎｇ  Ｇｒａｎｔには、例えば、上りリンクの共有チャネルに関する、上りリンクのＲｅｓｏｕｒｃｅ  Ｂｌｏｃｋの割り当て情報、ＵＥのＩＤ、データサイズ、変調方式、上りリンクの送信電力情報、Ｕｐｌｉｎｋ  ＭＩＭＯにおけるデモジュレーションレファレンスシグナル（Ｄｅｍｏｄｕｌａｔｉｏｎ  Ｒｅｆｅｒｅｎｃｅ  Ｓｉｇｎａｌ）の情報等が含まれる。
【０００８】
ところで、モバイルＴＶなど、セルラー・ネットワーク上で、ユーザ装置へコンテンツをブロードキャストするＭＢＭＳ（Multimedia  Broadcast  Multicast  Service）が提案されている。このＭＢＭＳでは、セッションごとに別個の接続が確立されるユニキャストと異なり、ポイント・ツー・マルチポイント接続が利用される。ＭＢＭＳを使用することにより、ネットワークで提供されるチャネルの数を更に増やすことができる。
【０００９】
ＭＢＭＳサービスとしては、シングルセルモード（Ｓｉｎｇｌｅ−ｃｅｌｌ  ｍｏｄｅ）と、ＭＢＳＦＮモード（Ｍｕｌｔｉｃａｓｔ  Ｂｒｏａｄｃａｓｔ  ｏｖｅｒ  Ｓｉｎｇｌｅ  Ｆｒｅｑｕｅｎｃｙ  Ｎｅｔｗｏｒｋ  ｍｏｄｅ）が提案されている。
【００１０】
シングルセルモードでは、１つのセルのみからＭＢＭＳデータが送信され、他セルはユニキャストデータもしくは異なるＭＢＭＳデータが送信される。図１に示すセル構成において、セル１ではＭＢＭＳデータが送信され、セル２及び３では、ユニキャストデータもしくは、セル１で送信されるＭＢＭＳデータとは異なるＭＢＭＳデータが送信される。
【００１１】
ＭＢＳＦＮモードでは、複数セルから同じＭＢＭＳデータが送信される。図１に示すセル構成において、セル１、２及び３から同じＭＢＭＳデータが送信される。各ユーザは、複数のセルからのＭＢＭＳ信号をソフトコンバイニング受信することにより、ＭＢＭＳデータの高品質受信が可能となる。
【非特許文献１】3GPP  TR  25.814  (V7.0.0),  "Physical  Layer  Aspects  for  Evolved  UTRA,"  June  2006
【非特許文献２】3GPP,  R1-070103,  Downlink  L1/L2  Control  Signaling  Channel  Structure:  Coding
【発明の開示】
【発明が解決しようとする課題】
【００１２】
しかしながら、上述した背景技術には以下の問題がある。
【００１３】
上述したようにＭＢＭＳサービスでは、サービスエリア内のＭＢＭＳデータの送信を希望する全てのユーザに対して、同一のＭＢＭＳデータが送信される。ユニキャストの場合には、適用変復調、再送制御などが適用され、ユーザ装置からのフィードバック情報により、これらの制御が行われる。ＭＢＭＳでは、複数ユーザに対して同じ情報が送信されるため、適用変復調、再送制御などは適用されていない。従って、ＭＢＭＳでは、ユーザ装置からのフィードバック情報は使用されない。例えば再送制御を行うと仮定した場合には、受信成功したユーザと受信が失敗したユーザがいる場合には、基地局装置においては制御不可能である。
【００１４】
また、ＭＢＭＳでは、セル端に位置するユーザとセル中心領域に位置するユーザとに偏りがある場合、セル端に位置するユーザが受信できる条件でＭＢＭＳデータが送信される。このような条件で送信された場合、セル中心領域に位置するユーザにとっては過品質で受信されることになる。
【００１５】
しかし、ＭＢＭＳにおいても、適用変復調、再送制御などを適用することにより、特定の条件下においては特性改善が期待できる。
【００１６】
そこで、本発明は、上述した課題に鑑み、その目的は、ＭＢＭＳにおいて、適用変復調を適用できる基地局装置及び通信制御方法を提供することにある。
【課題を解決するための手段】
【００１７】
上記課題を解決するため、本発明の基地局装置は、
ユーザ装置に対してマルチキャストデータ及び／又はブロードキャストデータを送信する基地局装置であって：
前記ユーザ装置は、マルチキャストデータ及び／又はブロードキャストデータが所要品質を満たさないことを通知するフィードバック情報を送信し、
前記フィードバック情報の通知数を求め、該通知数に基づいて、適応変復調を行うか否かを判断するフィードバック情報判定手段；
前記フィードバック情報判定手段における判定結果に従って、マルチキャストデータ及び／又はブロードキャストデータに適用する変調方式及びチャネル符号化方式の組み合わせを変更する制御手段；
を備えることを特徴の１つとする。
【００１８】
本発明の通信制御方法は、
ユーザ装置に対してマルチキャストデータ及び／又はブロードキャストデータを送信する基地局装置における通信制御方法であって：
前記ユーザ装置は、マルチキャストデータ及び／又はブロードキャストデータが所要品質を満たさないことを通知するフィードバック情報を送信し、
各ユーザ装置から送信されたフィードバック情報を受信するフィードバック情報受信ステップ；
前記フィードバック情報の通知数を求め、該通知数に基づいて、適応変復調を行うか否かを判断するフィードバック情報判定ステップ；
前記フィードバック情報判定手段における判定結果に従って、マルチキャストデータ及び／又はブロードキャストデータに適用する変調方式及びチャネル符号化方式の組み合わせを変更する制御ステップ；
を有することを特徴の１つとする。
【発明の効果】
【００１９】
本発明の実施例によれば、ＭＢＭＳにおいて、適用変復調を適用できる基地局装置及び通信制御方法を実現することができる。
【発明を実施するための最良の形態】
【００２０】
以下、本発明の実施例を、図面を参照しつつ説明する。実施例を説明するための全図において、同一機能を有するものは同一符号を用い、繰り返しの説明は省略する。
【００２１】
図２を参照しながら、本発明の実施例に係る移動局及び基地局装置を有する無線通信システム（ＭＢＭＳシステム）について説明する。
【００２２】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００と、基地局装置２００と通信する複数の移動局１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０において基地局装置２００とＥｖｏｌｖｅｄ  ＵＴＲＡ  ａｎｄ  ＵＴＲＡＮにより通信を行っている。
【００２３】
各移動局（１００１、１００２、１００３、・・・１００ｎ）は、同一の構成、機能、状態を有するので、以下では特段の断りがない限り移動局１００ｎとして説明を進める。説明の便宜上、基地局装置と無線通信するのは移動局であるが、より一般的には移動端末も固定端末も含むユーザ装置（ＵＥ：  Ｕｓｅｒ  Ｅｑｕｉｐｍｅｎｔ）でよい。
【００２４】
無線通信システム１０００では、無線アクセス方式として、下りリンクについてはＯＦＤＭ（直交周波数分割多元接続）が、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。
【００２５】
ここで、Ｅｖｏｌｖｅｄ  ＵＴＲＡ  ａｎｄ  ＵＴＲＡＮにおける通信チャネルについて説明する。
【００２６】
下りリンクについては、各移動局１００ｎで共有される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、物理下りリンク制御チャネル(ＰＤＣＣＨ：  Ｐｈｙｓｉｃａｌ  Ｄｏｗｎｌｉｎｋｇ  Ｃｏｎｔｒｏｌ  Ｃｈａｎｎｅｌ)とが用いられる。物理下りリンク制御チャネルは下りＬ１／Ｌ２制御チャネルとも呼ばれる。上記物理下りリンク共有チャネルにより、ユーザデータ、すなわち、通常のデータ信号が伝送される。また、物理下りリンク制御チャネルにより、ダウンリンクスケジューリングインフォメーション（ＤＬ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（ＵＬ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が伝送される。ＤＬ  Ｓｃｈｅｄｕｌｉｎｇ  Ｉｎｆｏｒｍａｔｉｏｎには、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。
【００２７】
また、ＵＬ  Ｓｃｈｅｄｕｌｉｎｇ  Ｇｒａｎｔには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。
【００２８】
また、Ａｃｋｎｏｗｌｅｄｇｅｍｅｎｔ  ｉｎｆｏｒｍａｔｉｏｎ（ＡＣＫ／ＮＡＣＫ）とは、上りリンクの共有チャネルに関する送達確認情報のことである。
【００２９】
上りリンクについては、各移動局１００ｎで共有して使用される物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）と、物理上りリンク制御チャネルとが用いられる。上記物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化処理（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）、及び、物理下りリンク共有チャネルの送達確認情報（Ａｃｋｎｏｗｌｅｄｇｅｍｅｎｔ  Ｉｎｆｏｒｍａｔｉｏｎ）が伝送される。送達確認情報の内容は、送信信号が適切に受信されたことを示す肯定応答(ＡＣＫ：  Ａｃｋｎｏｗｌｅｄｇｅｍｅｎｔ)又はそれが適切に受信されなかったことを示す否定応答(ＮＡＣＫ：  Ｎｅｇａｔｉｖｅ  Ａｃｋｎｏｗｌｅｄｇｅｍｅｎｔ)の何れかで表現される。
【００３０】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置が移動局に通知することを意味する。
【００３１】
図３を参照しながら、本発明の実施例に係る基地局装置２００について説明する。
【００３２】
本実施例に係る基地局装置２００は、ＭＣＳ・再送制御部２０２と、データ送信部２０４と、フィードバック判定部２０６と、フィードバック情報受信部２０８とを備える。
【００３３】
ユーザ装置１００は、基地局２００から送信されるマルチキャストデータ及び／又はブロードキャストデータ（以下、ＭＢＭＳデータと呼ぶ）が所要の品質を満たさない場合に、ＭＢＭＳデータが所要の品質を満たさないことを示す制御情報を、フィードバック情報として高レイヤーのシグナリングにより通知する。この方法では制御遅延が大きくなるが、１ＴＴＩ以上の長周期での制御に適用されるので問題はない。このようにすることにより、制御情報の品質を確保することができる。
【００３４】
ユーザ装置１００から送信された制御情報は、フィードバック情報受信部２０８により受信され、フィードバック判定部２０６に入力される。
【００３５】
フィードバック判定部２０６は、ユーザ装置１００からのフィードバック情報に基づいて、適用変復調制御及び／又は再送制御を行うか否かを判断し、その結果をＭＣＳ・再送制御部２０２に入力する。フィードバック判定部２０６は、受信されたフィードバック情報の数が予め決定される所定の第１の適用変復調閾値以上である場合、適用変復調制御を行うと決定する。具体的には、変調方式及びチャネル符号化方式の組み合わせ（ＭＣＳセット）において、変調多値数を下げる方向及び／又はチャネル符号化率を下げる方向に変更する、すなわち変調多値数を減らす及び／又はチャネル符号化率を下げる制御を行う。また、フィードバック判定部２０６は、受信されたフィードバック情報の数が予め決定される所定の再送制御閾値以上である場合、再送制御を行うと決定する。また、フィードバック判定部２０６は、受信されたフィードバック情報の数が予め決定される所定の第２の適用変復調閾値以下である場合、適用変復調制御を行うと決定する。ここで、第２の適用変復調閾値は、第１の適用変復調閾値以下である。具体的には、変調方式及びチャネル符号化方式の組み合わせ（ＭＣＳセット）において、変調多値数を上げる方向及び／又はチャネル符号化率を上げる方向に変更する、すなわち変調多値数を増やす及び／又はチャネル符号化率を上げる制御を行う。
【００３６】
セル設計時には、所定の割合のユーザが受信できるような条件で送信するように設計される。そこで、第１の適用変復調閾値及び再送制御閾値は、想定したユーザ数の（１００−所定の割合）（％）以上に相当する数であることが好ましい。また、第２の適用変復調閾値は、想定したユーザ数の（１００−所定の割合以上の割合）（％）以下に相当する数であることが好ましい。ここで、第１の適用変復調閾値と再送制御閾値、第１の適用変復調閾値と第２の適用変復調閾値とは、同じ値でもよいし異なる値でもよい。
【００３７】
また、ＭＢＭＳの受信を希望しているユーザ数が分かる場合には、このユーザ数に対するフィードバック情報の数の割合に基づいて、適用変復調制御及び／又は再送制御を行うか否かを判断するようにしてもよい。
【００３８】
ＭＣＳ・再送制御部２０２は、フィードバック判定部２０６により入力された適用変復調制御を行うか否かを示す情報及び／又は再送制御を行うか否かを示す情報に基づいて、適用変復調制御及び／又は再送制御を行う。例えば、ＭＣＳ・再送制御部２０２は、フィードバック判定部２０６により入力された変調多値数を下げる方向及び／又はチャネル符号化率を下げる方向に変更する命令が入力された場合、変調多値数を減らす命令及び／又はチャネル符号化率を下げる命令、すなわち適用されている変調多値数及び／又はチャネル符号化率よりも小さい値の変調多値数及び／又はチャネル符号化率を含む変調方式及びチャネル符号化方式の組み合わせ（ＭＣＳセット）に変更する命令（ＭＣＳを下げる命令）をデータ送信部２０４に対して行う。また、ＭＣＳ・再送制御部２０２は、フィードバック判定部２０６により入力された変調多値数を上げる方向及び／又はチャネル符号化率を上げる方向に変更する命令が入力された場合、変調多値数を増やす命令及び／又はチャネル符号化率を上げる命令、すなわち適用されている変調多値数及び／又はチャネル符号化率よりも大きい値の変調多値数及び／又はチャネル符号化率を含む変調方式及びチャネル符号化方式の組み合わせ（ＭＣＳセット）に変更する命令（ＭＣＳを上げる命令）をデータ送信部２０４に対して行う。また、ＭＣＳ・再送制御部２０２は、フィードバック判定部２０６により入力された再送制御を行う命令が入力された場合、再送制御を行う命令をデータ送信部２０４に対して行う。
【００３９】
例えば、ＭＣＳ・再送制御部２０２は、再送制御を行う場合に、受信誤りが生じたパケットを再送する。具体的には、図４に示すように、ＵＥ１−ＵＥ３に対してパケット１−１０が送信された場合、ＵＥ１はパケット３及び４を誤って受信し、ＵＥ２はパケット１及び６を誤って受信し、ＵＥ３はパケット２及び７を誤って受信した場合、ＭＣＳ・再送制御部２０２はいずれかのユーザ装置で誤って受信されたパケットを再送する。この場合、パケット１、２、３、４、６及び７が再送される。
【００４０】
また、例えば、ＭＣＳ・再送制御部２０２は、再送制御を行う場合に、ユーザ装置において受信誤りの多いパケットを再送するようにしてもよい。具体的には、図５に示すようにＵＥ１−ＵＥ５に対して、パケット１−５が送信された場合、ＵＥ２はパケット１及び５を誤って受信し、ＵＥ３はパケット２−４を誤って受信し、ＵＥ５はパケット２及び４を誤って受信した場合、ＭＣＳ・再送制御部２０２は、予め設定された所定の閾値に基づいて、ユーザ装置において、あるパケットを誤って受信したユーザ数が予め設定された所定の閾値以上であるパケットを再送する。所定の閾値として２が設定された場合には、パケット２及び４が再送される。
【００４１】
また、例えば、ＭＣＳ・再送制御部２０２は、再送制御を行う場合に、パケットの排他的論理和（ＸＯＲ）演算を行ったパケットを送信するようにしてもよい。各ユーザ装置１００では、排他的論理和演算を行う対象となるパケットの中で１つだけ誤って受信していた場合には、その誤って受信したパケットを再生できる。例えば、図６に示すように、ユーザ装置１及び２に対してパケット＃１が送信され、ＵＥ１は受信を誤り、ＵＥ２は受信成功である場合、ＵＥ２は硬判定結果を保存する。次に、ユーザ装置１及び２に対してパケット＃２が送信され、ＵＥ１は受信成功し、ＵＥ２は受信を誤った場合、ＵＥ１は、硬判定結果を保存する。次に、基地局装置２００は、パケット＃１と＃２の排他的論理和演算を行ったパケットを送信する。ＵＥ１及びＵＥ２では、そのパケットを受信した後、正しく復号されたパケットとの排他的論理和演算を行う。このようにすることにより、誤って受信したパケットを再生できる。具体的には、ＵＥ１では、パケット＃１と＃２の排他的論理和演算を行ったパケットと、パケット＃２との排他的論理和演算を行うことにより、誤って受信したパケット＃１の再生を行う。また、ＵＥ２では、パケット＃１と＃２の排他的論理和演算を行ったパケット＃１と、パケット＃１との排他的論理和演算を行うことにより、誤って受信したパケット＃２の再生を行う。
【００４２】
具体的には、ＭＣＳ・再送制御部２０２は、初回送信のパケットエラーレート（ＰＥＲ：  Ｐａｃｋｅｔ  Ｅｒｒｏｒ  Ｒａｔｅ）に基づいて、複数のパケットを送信する度に、それらの排他的論理和演算を行ったパケットを送信する。例えば、ＰＥＲ＝１０−１である場合には、図７に示すようにパケット＃１−＃１０のパケットを送信し、パケット＃１１として、パケット＃１−＃１０の排他的論理和演算を行ったパケットを送信する。この方法は、ユーザ装置１００からのフィードバック情報がない場合でも適用できる。
【００４３】
また、ユーザ装置１００からのフィードバック情報に基づいて、各ユーザにおいて、連続するパケットのうち、受信誤りの生じたパケット数が最大１である点で共通する複数のパケットの排他的論理和演算を行ったパケットを送信する。例えば、図８に示すように、パケット＃１−＃１０のパケットを送信し、パケット＃１１として、パケット＃１−＃３の排他的論理和演算を行ったパケットを送信し、パケット＃１２として、パケット＃４−＃７の排他的論理和演算を行ったパケットを送信する。パケット＃１−＃３の排他的論理和演算を行ったパケットを送信する場合には、連続するパケット＃１−＃３のうち、各ユーザにおいて、受信誤りの生じたパケット数が最大１である点で共通する。パケット＃４−＃７の排他的論理和演算を行ったパケットを送信する場合には、連続するパケット＃４−＃７のうち、各ユーザにおいて、受信誤りの生じたパケット数が最大１である点で共通する。このようにすることにより、図８に示すパケット＃８−＃１０のような受信が成功したパケットを含めた演算を行う必要がなく、効率的に再送制御を行うことができる。
【００４４】
データ送信部２０４は、ＭＣＳ・再送制御部２０２によるＭＣＳ制御に従ったデータ送信及び／又は再送制御を行う。
【００４５】
次に、本実施例に係る基地局装置の動作について説明する。
【００４６】
ユーザ装置からのフィードバック情報に基づいて、適用変復調が行われる場合について、図９を参照して説明する。
【００４７】
フィードバック情報受信部２０８は、自基地局装置２００のカバーするエリアに在圏するユーザ装置のうち、ＭＢＭＳデータを受信しているユーザ装置からフィードバック情報受信する（ステップＳ９０２）。ＭＢＭＳデータを受信しているユーザ装置は、送信されるＭＢＭＳデータが所要の品質を満たさない場合に、フィードバック情報を送信する。
【００４８】
フィードバック判定部２０６は、受信したフィードバックの数が予め設定される所定の第１の適用変復調閾値以上であるか否かを判定する（ステップ９０４）。
【００４９】
受信したフィードバックの数が予め設定される所定の第１の適用変復調閾値以上である場合（ステップＳ９０４：ＹＥＳ）、ＭＣＳ・再送制御部２０２は、フィードバック判定部２０６により入力されるＭＣＳを下げる命令に従って、ＭＣＳを下げる制御を行う(ステップＳ９０６)。その後、ステップＳ９０２に戻る。
【００５０】
一方、受信したフィードバックの数が予め設定される所定の第１の適用変復調閾値以上でない場合（ステップＳ９０４：ＮＯ）、フィードバック判定部２０６は、受信したフィードバックの数が予め設定される所定の第２の適用変復調閾値以下であるか否かを判定する（ステップ９０８）。
【００５１】
受信したフィードバックの数が予め設定される所定の第２の適用変復調閾値以下である場合（ステップＳ９０８：ＹＥＳ）、ＭＣＳ・再送制御部２０２は、フィードバック判定部２０６により入力されるＭＣＳを上げる命令に従って、ＭＣＳを上げる制御を行う(ステップＳ９１０)。その後、ステップＳ９０２に戻る。
【００５２】
一方、受信したフィードバックの数が予め設定される所定の第２の適用変復調閾値以下でない場合（ステップＳ９０８：ＮＯ）、ステップＳ９０２に戻る。
【００５３】
ユーザ装置からのフィードバック情報に基づいて、再送制御が行われる場合について、図１０を参照して説明する。
【００５４】
フィードバック情報受信部２０８は、自基地局装置２００のカバーするエリアに在圏するユーザ装置のうち、ＭＢＭＳデータを受信しているユーザ装置からフィードバック情報受信する（ステップＳ１００２）。ＭＢＭＳデータを受信しているユーザ装置は、送信されるＭＢＭＳデータが所要の品質を満たさない場合に、フィードバック情報を送信する。
【００５５】
フィードバック判定部２０６は、受信したフィードバックの数が予め設定される所定の再送制御閾値以上であるか否かを判定する（ステップ１００４）。
【００５６】
受信したフィードバックの数が予め設定される所定の再送制御閾値以上である場合（ステップＳ１００４：ＹＥＳ）、ＭＣＳ・再送制御部２０２は、フィードバック判定部２０６により入力される再送制御を行う命令に従って、再送制御を行う(ステップＳ１００６)。その後、ステップＳ１００２に戻る。
【００５７】
一方、受信したフィードバックの数が予め設定される所定の再送制御閾値以上でない場合（ステップＳ１００４：ＮＯ）、ステップＳ１００２に戻る。
【００５８】
次に、本発明の第２の実施例に係る無線通信システム（ＭＢＭＳシステム）について説明する。
【００５９】
本実施例に係る無線通信システムの構成は、図１１に示すように、基地局装置（ｅＮＢ：  ｅＮｏｄｅ  Ｂ）２００（２００１、２００２）と、基地局装置２００と通信する複数の移動局１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０において基地局装置２００とＥｖｏｌｖｅｄ  ＵＴＲＡ  ａｎｄ  ＵＴＲＡＮにより通信を行っている。本実施例では、２個のセルにおいてＭＢＭＳデータが送信される場合について説明するが、３個以上のセルにおいてＭＢＭＳデータが送信される場合についても適用できる。
【００６０】
上述したＭＢＭＳシステムは好適には、シングルセルモードに適用される。本実施例に係るＭＢＭＳシステムは、好適にはマルチセルモード、例えばＭＢＳＦＮモードに適用される。
【００６１】
本実施例に係る上位局３００、例えばアクセスゲートウェイは、図１２に示すようにフィードバック情報受信部３０２と、フィードバック情報判定部３０４とを備える。
【００６２】
フィードバック情報判定部３０４は、基地局装置２００から送信されるフィードバック情報を受信し、フィードバック情報判定部３０４に入力する。ここで、各基地局装置２００から送信されるフィードバック情報をユーザ毎に合成するようにしてもよい。フィードバック情報判定部３０４は、上述したフィードバック情報判定部２０６と同様の処理を行う。フィードバック判定部３０４は、ユーザ装置１００からのフィードバック情報に基づいて、適用変復調及び／又は再送制御を行うか否かを判断し、その結果をＭＣＳ・再送制御部２０２に送信する。フィードバック判定部３０４は、受信されたフィードバック情報の数が予め決定される所定の第１の適用変復調閾値以上である場合、適用変復調制御を行うと決定する。具体的には、ＭＣＳを下げる、すなわち変調多値数を減らす及び／又はチャネル符号化率を下げる制御を行う。また、フィードバック判定部３０４は、受信されたフィードバック情報の数が予め決定される所定の再送制御閾値以上である場合、再送制御を行うと決定する。また、フィードバック判定部３０４は、受信されたフィードバック情報の数が予め決定される所定の第２の適用変復調閾値以下である場合、適用変復調制御を行うと決定する。具体的には、ＭＣＳを増やす、すなわち変調多値数を増やす及び／又はチャネル符号化率を上げる制御を行う。
【００６３】
本実施例に係る基地局装置２００は、図１２に示すようにＭＣＳ・再送制御部２０２と、データ送信部２０４と、フィードバック情報受信部２０８とを備える。
【００６４】
ユーザ装置１００から送信された制御情報は、フィードバック情報受信部２０８により受信され、上位局３００のフィードバック判定部３０２に送信される。
【００６５】
ＭＣＳ・再送制御部２０２は、上位局のフィードバック判定部３０４により送信された適用変復調制御を行うか否かを示す情報及び／又は再送制御を行うか否かを示す情報に基づいて、適用変復調制御及び／又は再送制御を行う。
【００６６】
データ送信部２０４は、ＭＣＳ・再送制御部２０２によるＭＣＳ制御に従ったデータ送信及び／又は再送制御を行う。
【００６７】
次に、本発明の第３の実施例に係る無線通信システム（ＭＢＭＳシステム）について説明する。
【００６８】
本実施例に係る無線通信システムの構成及び基地局装置の構成は、第１及び第２の実施例において説明した構成と同様である。
【００６９】
本実施例に係る無線通信システムでは、フィードバック情報として、ＣＱＩ及び／又はスケジューリングリクエスト（Scheduling  request）が、ユーザ装置１００から送信される。各ユーザは、所要品質を満たさない場合にＣＱＩ及び／又はスケジューリングリクエストをフィードバックする。このようにすることにより、すでに確保されているリソースを使用するため、余分な制御情報を増加させずに、フィードバック情報を送信できる。
【００７０】
次に、本発明の第４の実施例に係る無線通信システム（ＭＢＭＳシステム）について説明する。
【００７１】
本実施例に係る無線通信システムの構成及び基地局装置の構成は、第１及び第２の実施例において説明した構成と同様である。
【００７２】
本実施例に係る無線通信システムでは、フィードバック情報として、データが正しく受信されなったことを示す否定応答（ＮＡＣＫ）が、ユーザ装置１００から送信される。各ユーザは、所要品質を満たさない場合にＮＡＣＫをフィードバックする。このようにすることにより、各ユーザに共通のリソースを用いて送信させることができるため、制御情報量を低減できる。さらに、制御情報量を低減するために、送信できる期間を制限するようにしてもよい。
【００７３】
上述した実施例によれば、セル端に位置するユーザとセル中心領域に位置するユーザとに偏りがある場合においても、フィードバック情報を使用することにより、セル端に位置するユーザに対しては、再送したり、レートを下げて送信したりする制御を行うことができる。
【図面の簡単な説明】
【００７４】
【図１】ＭＢＭＳサービスにおけるシングルセルモードと、ＭＢＳＦＮモードを示す説明図である。
【図２】本発明の一実施例に係る無線通信システム（ＭＢＭＳシステム）を示すブロック図である。
【図３】本発明の一実施例に係る基地局装置を示す部分ブロック図である。
【図４】本発明の一実施例に係る再送制御を示す説明図である。
【図５】本発明の一実施例に係る再送制御を示す説明図である。
【図６】本発明の一実施例に係る再送制御を示す説明図である。
【図７】本発明の一実施例に係る再送制御を示す説明図である。
【図８】本発明の一実施例に係る再送制御を示す説明図である。
【図９】本発明の一実施例に係る基地局装置の動作を示すフロー図である。
【図１０】本発明の一実施例に係る基地局装置の動作を示すフロー図である。
【図１１】本発明の一実施例に係る無線通信システム（ＭＢＭＳシステム）を示すブロック図である。
【図１２】本発明の一実施例に係る上位局及び基地局装置を示す部分ブロック図である。
【符号の説明】
【００７５】
１、２、３、５０  セル
１００１、１００２、１００３、１００ｎ  移動局
２００  基地局装置
２０２  ＭＣＳ・再送制御部
２０４  データ送信部
２０６  フィードバック情報判定部
２０８  フィードバック情報受信部
３００  アクセスゲートウェイ装置
３０２  フィードバック情報受信部
３０４  フィードバック情報判定部
４００  コアネットワーク
１０００  無線通信システム（ＭＢＭＳシステム）
【図１】
2008278339.tif 000003
【図２】
2008278339.tif 000004
【図３】
2008278339.tif 000005
【図４】
2008278339.tif 000006
【図５】
2008278339.tif 000007
【図６】
2008278339.tif 000008
【図７】
2008278339.tif 000009
【図８】
2008278339.tif 000010
【図９】
2008278339.tif 000011
【図１０】
2008278339.tif 000012
【図１１】
2008278339.tif 000013
【図１２】
2008278339.tif 000014